(57)【要約】【課題】電線等を埋設するスペースの節約に寄与でき、しかも排水路の傾斜を現場に応じた傾斜に容易に設定可能な共同側溝ユニット、および、共同溝用埋設部材を提供する。【解決手段】側壁部１６の上端同士を接続して両側壁部１６の間の空間を排水空間１８とし下面が開口した自由勾配側溝部材と、該自由勾配側溝部材を支持する支持部２６が形成され、共同溝用貫通空部２２となる空間を有し、前記共同溝用貫通空部２２が区画される上面部分と側面部分の少なくとも一方に作業用開口部２８が開口可能とされた共同溝用埋設部材１２と、からなることを特徴とする。【選択図】図１
2019203261.tif 000002
【特許請求の範囲】
【請求項１】
左右の側壁部の上端同士を梁部により接続して両側壁部の間の空間を排水空間とし下面が開口した自由勾配側溝部材を上方から備え付けた状態で前記側壁部を支持する支持部を有し、
該支持部上に前記自由勾配側溝部材を載せた状態で前記排水空間と同じ方向に長尺で共同溝用貫通空部となる空間を有し、
前記自由勾配側溝部材の排水空間の底を下から閉塞可能な底部基礎面部を備え、
前記共同溝用貫通空部が区画される上面部分と側面部分の少なくとも一方に作業用開口部を開口可能としたことを特徴とする共同溝用埋設部材。
【請求項２】
前記上面部の左右幅を前記自由勾配側溝部材の左右幅よりも大きく設定して自由勾配側溝部材の側方に上面部分を突出可能とし、この突出する上面部分に前記作業用開口部を開口可能としたことを特徴とする請求項１に記載の共同溝用埋設部材。
【請求項３】
前記作業用開口部に蓋材を開閉可能に設けたことを特徴とする請求項１または請求項２に記載の共同溝用埋設部材。
【請求項４】
左右の側壁部の上端同士を梁部により接続して両側壁部の間の空間を排水空間とし下面が開口した自由勾配側溝部材と、
該自由勾配側溝部材を上方から備え付けた状態で前記側壁部を支持する支持部が形成され、該支持部上に前記自由勾配側溝部材を載せた状態で前記排水空間と同じ方向に長尺で共同溝用貫通空部となる空間を有し、前記自由勾配側溝部材の排水空間の底を下から閉塞可能な底部基礎面部を備え、前記共同溝用貫通空部が区画される上面部分と側面部分の少なくとも一方に作業用開口部が開口可能とされた共同溝用埋設部材と、
からなることを特徴とする共同側溝ユニット。
【請求項５】
前記共同溝用埋設部材は、上部材と下部材とを重ね合わせて構成され、前記上部材と下部材とが対向する少なくとも一方の面に共同溝用貫通空部となる空間が形成されていることを特徴とする請求項４に記載の共同側溝ユニット。
【請求項６】
左右の側壁部の上端同士を梁部により接続して両側壁部の間の空間を排水空間とし下面が開口した自由勾配側溝部材と、
該自由勾配側溝部材を上方から備え付けた状態で前記側壁部を支持する支持部が形成され、該支持部上に前記自由勾配側溝部材を載せた状態で前記排水空間と同じ方向に長尺で共同溝用貫通空部となる空間を有し、前記自由勾配側溝部材の排水空間の底を下から閉塞可能な底部基礎面部を備え、前記共同溝用貫通空部が区画される上面部分と側面部分の少なくとも一方に作業用開口部が開口可能とされた共同溝用埋設部材と、
からなることを特徴とする共同側溝ユニット。
【発明の詳細な説明】
【技術分野】
【０００１】
本発明は、主として道の端に埋設する共同側溝ユニット、および、これに用いる共同溝用埋設部材に関する。
【背景技術】
【０００２】
近年、景観を向上させるために街中の電柱をなくす計画が立てられているが、実際には、道路の下には既に上下水道の配管やガス管などが埋設されており、電線を新たに埋設するためのスペースを確保することが容易ではない。このような実状に鑑み、道路の排水を処理する側溝と電線等を収納する共同溝を上下に設けてスペースの節約を図る側溝ブロックが提案されている（例えば、特許文献１参照）。
【先行技術文献】
【特許文献】
【０００３】
【特許文献１】特開２０１１−０８４９９４号公報
【発明の概要】
【発明が解決しようとする課題】
【０００４】
ところで、前記した側溝ブロックは、左右の側壁部とその下端同士を繋ぐ底壁部とを一体に有するブロック本体と、断面略Ｕ字状の排水ブロックとから構成されており、側壁部と底壁部とに囲まれた空間の下半にケーブル類をまとめて収納可能とし、前記空間の上半に、排水ブロックを上から嵌合させる構成である。そして、ブロック本体と排水ブロックは、工場において型枠内にコンクリートを流し込んで成型したコンクリート製品である。したがって、この様に一律に成型されたブロック本体と排水ブロックを順次接続して構成される側溝において、排水ブロックの内部に形成された排水路に現場に応じた傾斜をつけるにはブロック本体を埋設する際に順次傾斜させて接続しなくてはならず、施工が煩雑である。また、本体ブロック内に排水ブロックを嵌合する構成を採るので、本体ブロックの幅に対する排水路の幅の割合を大きくすることが困難である。
【０００５】
本発明は、上記した事情に鑑みてなされたものであり、その目的は、電線等を埋設するスペースの節約に寄与することができ、しかも排水路の傾斜を現場に応じた傾斜に容易に設定することができる共同溝、および、これに用いることができる共同溝用埋設部材を提供しようとするものである。
【課題を解決するための手段】
【０００６】
本発明は、上記目的を達成するために提案されたものであり、請求項１に記載のものは、左右の側壁部の上端同士を梁部により接続して両側壁部の間の空間を排水空間とし下面が開口した自由勾配側溝部材を上方から備え付けた状態で前記側壁部を支持する支持部を有し、
該支持部上に前記自由勾配側溝材を載せた状態で前記排水空間と同じ方向に長尺で共同溝用貫通空部となる空間を有し、
前記自由勾配側溝部材の排水空間の底を下から閉塞可能な底部基礎面部を備え、
前記共同溝用貫通空部が区画される上面部分と側面部分の少なくとも一方に作業用開口部を開口可能としたことを特徴とする共同溝用埋設部材である。
【０００７】
請求項２に記載のものは、前記上面部の左右幅を前記自由勾配側溝材の左右幅よりも大きく設定して自由勾配側溝材の側方に上面部分を突出可能とし、この突出する上面部分に前記作業用開口部を開口可能としたことを特徴とする請求項１に記載の共同溝用埋設部材である。
【０００８】
請求項３に記載のものは、前記作業用開口部に蓋材を開閉可能に設けたことを特徴とする請求項１または請求項２に記載の共同溝用埋設部材である。
【０００９】
請求項４に記載のものは、左右の側壁部の上端同士を梁部により接続して両側壁部の間の空間を排水空間とし下面が開口した自由勾配側溝部材と、
該自由勾配側溝部材を上方から備え付けた状態で前記側壁部を支持する支持部が形成され、該支持部上に前記自由勾配側溝材を載せた状態で前記排水空間と同じ方向に長尺で共同溝用貫通空部となる空間を有し、前記自由勾配側溝部材の排水空間の底を下から閉塞可能な底部基礎面部を備え、前記共同溝用貫通空部が区画される上面部分と側面部分の少なくとも一方に作業用開口部が開口可能とされた共同溝用埋設部材と、
からなることを特徴とする共同側溝ユニットである。
【００１０】
請求項５に記載のものは、前記共同溝用埋設部材は、上部材と下部材とを重ね合わせて構成され、前記上部材と下部材とが対向する少なくとも一方の面に共同溝用貫通空部となる空間が形成されていることを特徴とする請求項４に記載の共同側溝ユニットである。
【発明の効果】
【００１１】
本発明によれば、以下のような優れた効果を奏する。
請求項１および請求項４に記載の発明によれば、自由勾配側溝部材を上方から備え付けた状態でその側壁部を支持する支持部を有し、該支持部上に前記自由勾配側溝材を載せた状態で前記排水空間と同じ方向に長尺で共同溝用貫通空部となる空間を有し、前記自由勾配側溝部材の排水空間の底を下から閉塞可能な底部基礎面部を備え、前記共同溝用貫通空部が区画される上面部分と側面部分の少なくとも一方に作業用開口部を開口可能とした共同溝用埋設部材を用いるので、既存の自由勾配側溝材およびその型枠を有効利用することができる。また、電線等を埋設するスペースの節約に寄与することができ、しかも排水路の傾斜を現場に応じた傾斜に容易に設定することができる。さらに、作業用開口部を開いて共同溝用貫通空部内の作業を行うことができ、ケーブルや配線等の地下埋設用として好適である。
【００１２】
請求項２に記載の発明によれば、前記上面部の左右幅を前記自由勾配側溝材の左右幅よりも大きく設定して自由勾配側溝材の側方に上面部分を突出可能とし、この突出する上面部分に前記作業用開口部を開口可能としたので、作業用開口部を開いての作業を容易化することができる。
【００１３】
請求項３に記載の発明によれば、前記作業用開口部に蓋材を開閉可能に設けたので、埋設した後に共同溝用貫通空部へのアクセスが容易であり、ケーブルや配線等のメンテナンス作業等の作業の利便性を高めることができる。
【００１４】
請求項５に記載の発明によれば、前記共同溝用埋設部材は、上部材と下部材とを重ね合わせて構成され、前記上部材と下部材とが対向する少なくとも一方の面に共同溝用貫通空部となる空間が形成されているので、共同溝用貫通空部の容積を上部材と下部材との組み合わせによって多様化することができ、実際埋設する現場の状況に応じたものを提供することができる。  
【図面の簡単な説明】
【００１５】
【図１】（ａ）は共同側溝ユニットの正面図であり、（ｂ）は共同側溝ユニットの側面図である。
【図２】（ａ）は共同側溝ユニットの第２の実施形態の正面図であり、（ｂ）は共同側溝ユニットの第３の実施形態の正面図、（ｃ）は共同側溝ユニットの第４の実施形態の正面図である。
【図３】共同側溝ユニットの第５の実施形態の正面図である。
【図４】共同側溝ユニットの第６の実施形態の正面図である。
【発明を実施するための形態】
【００１６】
以下、本発明を実施するための形態を図面に基づいて説明する。
側溝１は、図１（ａ）に示すように、地中開削された敷設用の溝の底部に基礎砕石３ａ、基礎コンクリート３ｂを打設して基礎３を形成し、この基礎３上に共同側溝ユニット４を溝の延在方向に沿って一列に並ぶ状態で複数埋設し、隣り合う共同側溝ユニット４同士を接合して概略構成されている。
【００１７】
共同側溝ユニット４は、図１（ａ），（ｂ）に示すように、上側の自由勾配側溝部材１１と下側の共同溝用埋設部材１２とを上下に重ねて構成されており、自由勾配側溝部材１１内の共同溝用埋設部材１２上にはインバートコンクリート１３を打設して現場の勾配に対応している。
【００１８】
自由勾配側溝部材１１は、図１（ｂ）に示すように、横長なコンクリート製部材であり、下部を開放して断面が門型となる形状で構成され、天井面に開設した開口にはコンクリート製の蓋１４が開閉可能に取り付けられている。また、当該自由勾配側溝部材１１の長手方向から見て左右両側には、起立平板状の側壁部１６を互いに離間した状態で備え、両側壁部１６の上端同士を梁部１７により接続する一方、両側壁部１６の下端同士の間（言い換えると当該自由勾配側溝部材１１の底面）を開口している。そして、両側壁部１６および梁部１７により囲まれた空間を排水空間１８とし、この排水空間１８を自由勾配側溝部材１１の長手方向に沿って延在させるとともに、排水空間１８の長手方向の両端部を開放している。
【００１９】
また、両側壁部１６のうち長手方向の一側縁部（図２（ｂ）中、左側縁部）にはパッキン溝１９を備え、このパッキン溝１９に装着されたパッキン２０を介して隣り合う自由勾配側溝部材１１同士を接合し、排水空間１８内の水が自由勾配側溝部材１１同士の間から側方へ漏れ出ることを阻止できるように構成されている。さらに、自由勾配側溝部材１１の梁部１７には雨水導入路２４を形成して排水空間１８の上部へ連通し、側溝１上の雨水が雨水導入路２４を通って排水空間１８内へ流下するように構成されている。
【００２０】
共同溝用埋設部材１２は、横長な矩形筒状のコンクリート製部材であり、内部には前記排水空間１８と同じ方向に長尺で共同溝用貫通空部２２となる空間を有し、この共同溝用貫通空部２２内に電線や通信用光ファイバー線等を収納可能としている。また、この共同溝用埋設部材１２は、共同溝用貫通空部２２が区画される上面部分の左右幅を前記自由勾配側溝部材１１の左右幅よりも大きく設定して自由勾配側溝部材１１の側方に上面部分が大きく突出するように構成されており、この幅広な上面部分の一部（上面の左半部分）には、自由勾配側溝部材１１の排水空間１８の底を下から閉塞可能な底部基礎面部２５を他の部分よりも厚さを増して形成し、この底部基礎面部２５の左右側縁には段差を形成し、この段差を、自由勾配側溝部材１１の側壁部１６を支持する支持部２６としている。具体的に説明すると、底部基礎面部２５を両側壁部１６の下端同士の間に嵌合して自由勾配側溝部材１１の下面の開口を閉塞可能とし、この底部基礎面部２５の左右両側縁に段差を付けて支持部２６を形成してある。そして、図１（ａ）に示すように、底部基礎面部２５が両側壁部１６の下端同士の間に嵌合するとともに支持部２６が側壁部１６の下端に係合（言い換えると、側壁部１６の下端を支持部２６上に載置）して、共同溝用埋設部材１２上において自由勾配側溝部材１１が共同溝用埋設部材１２の長手方向とは直交する方向（図１（ａ）における下方向および左右方向）へずれることを規制するように構成されている。すなわち、支持部２６と底部基礎面部２５が位置決めとして機能して側壁部１６の下端の位置ずれを規制するように構成されている。
【００２１】
さらに、共同溝用埋設部材１２の上面部分の一部、具体的には、自由勾配側溝部材１１の側方に突出する部分に、作業用開口部２８を長手方向に開設するとともに、該作業用開口部２８には蓋材２９を開閉できる状態で設けてある。本実施形態における蓋材２９は、作業用開口部２８よりも少し幅広な平板状であり、前記作業用開口２８に上方から被せることにより開口を閉じ、作業を行う時には蓋材２９を取り外すことにより作業用開口部２８を開放できるように構成されている。
【００２２】
次に、側溝１の施工手順について説明する。
まず、図１（ａ）に示すように、側溝ユニット４を敷設するための溝を側溝ユニット４の高さ寸法よりも深く、側溝ユニット４の幅（長手方向とは直交する方向に沿う幅）よりも広い幅で開削する。さらに、この溝の底部に基礎砕石３ａ、基礎コンクリート３ｂの順に打設して、側溝ユニット４が載置される基礎３を形成する。
【００２３】
溝内に基礎３を形成したならば、基礎３上に複数本の共同溝用埋設部材１２を順次貫通空部２７を連通させながら連結して敷設する。すると、隣り合う共同溝用貫通空部２２が連通して、電線等を収納する共同溝が構成される。なお、隣り合う共同溝用埋設部材１２同士を側面の板状ジョイント（図示せず）により接続することが望ましい。
【００２４】
溝内に共同溝用埋設部材１２の連結体を溝の延在方向に沿って敷設したならば、図１に示すように、共同溝用埋設部材１２の連結体の上に自由勾配側溝部材１１を敷設する。具体的には、隣り合う自由勾配側溝部材１１同士の間にパッキン２０を挟み、それぞれの排水空間１８を順次接続しながら自由勾配側溝部材１１を複数敷設する。このとき、自由勾配側溝部材１１の側壁部１６の下端が共同溝用埋設部材１２の支持部２６上に載置されて、自由勾配側溝部材１１が共同溝用埋設部材１２に支持され、さらには、支持部２６による側壁部１６の支持と、上面部分の肉厚部分の側壁部１６間への嵌合（自由勾配側溝部材１１の一部と支持部２６との係合）とにより、自由勾配側溝部材１１が共同溝用埋設部材１２上で位置決めされる。したがって、共同溝用埋設部材１２と自由勾配側溝部材１１とを容易に位置決めすることができ、側溝１の施工における作業効率の向上を図ることができる。
【００２５】
共同溝用埋設部材１２の連結体上に複数の自由勾配側溝部材１１を備え付け（本実施形態では載置）して自由勾配側溝敷設工程が終了したならば、接続した自由勾配側溝部材１１の内部（共同溝用埋設部材１２の上面部分を臨ませた底部分）にインバートコンクリート１３を打設して、自由勾配側溝部材１１の排水空間１８の底部（言い換えると、複数の排水空間１８を連結して構成された排水路の底部）を共同溝用埋設部材１２の上面部分へ勾配をつけながら形成する。なお、勾配は側溝１の下流部（集水桝等）へ向けて下り傾斜する状態に設定する。
【００２６】
次に、自由勾配側溝敷設工程が終了したならば、自由勾配側溝部材１１の側方に突出した共同溝用埋設部材１２の上面部分の上面部分に作業用開口部２８が上向きに開口しているので、この作業用開口部２８を通して共同溝用貫通空部２２内にケーブル等を入れる作業を行う。そして、ケーブル等の収納・敷設作業が終了したならば蓋材２９を被せて作業用開口部２８を塞ぎ、土砂を埋め戻し、自由勾配側溝部材１１の上面開口にも蓋１４を被せて塞ぐ。
【００２７】
この様にして側溝の敷設工事とケーブルや電力線等を敷設工事が終了するが、その後に、更に通信線などを追加・敷設したり、あるいはメンテナンス作業を行う場合には、自由勾配側溝部材１１の横を掘り起こして蓋材２９を露出させる。そして、蓋材２９を取り外して作業用開口部２８を開放し、この作業用開口部２８から新たなケーブルや電線を通すなどして作業を行うことができる。
【００２８】
なお、前記した説明では自由勾配側溝部材の排水空間１８にインバートコンクリート１３を打設してから共同溝用埋設部材１２の共同溝用貫通空部２２内にケーブル等を収納する作業を行ったが、ケーブル等の収納作業を行ってからインバートコンクリート１３を打設してもよい。
【００２９】
前記した実施形態においては、共同溝用埋設部材１２をコンクリートにより一体成型したが、本発明はこれに限らず、分割して成型したものを合体してもよい。例えば、図２に示す共同側溝ユニット４は、共同溝用埋設部材１２上に自由勾配側溝部材１１を載置する点と、自由勾配側溝部材１１の構造とが前記した第１の実施形態と共通し、共同溝用埋設部材１２を分割タイプとした点だけが異なる。そこで、自由勾配側溝部材１１の説明は省略して、共同溝用埋設部材１２について説明する。
【００３０】
図２（ａ）に示す共同側溝ユニット４に用いる共同溝用埋設部材１２は、ベースとなる下部材３１とその上に重ね合わせる上部材３２とから構成されている。下部材３１と上部材３２は、自由勾配側溝部材１１と左右幅及び長さが同様の寸法に設定されており、下部材３１の上面に共同溝用貫通空部２２の下部となる断面矩形の下溝３４を形成し、上部材３２の下面に共同溝用貫通空部２２の上部となる断面矩形の上溝３５を形成し、下溝３４と上溝３５とが合わさって共同溝用貫通空部２２として機能するように構成されている。なお、上部材３２の上面の左右側縁に前記実施形態と同様に支持部２６を形成して両支持部２６の間を底部基礎面部２５とし、また、上部材３２の側面部分に分岐穴あるいは作用用開口部としても使用できる薄肉部３７を形成してあり、実際に使用時には容易に破って開口できるように構成されている。なお、図面には示していないが、上部材３２の上面部分に作業用開口部２８を開口可能としてもよい。
【００３１】
図２（ｂ）に示す共同側溝ユニット４に用いる共同溝用埋設部材１２は、ベースとなる下部材３１とその上に重ね合わせる上部材３２とから構成されている。下部材３１は、自由勾配側溝部材１１と左右幅及び長さが同様の寸法に設定されており、下部材３１の上面に共同溝用貫通空部２２となる断面矩形の下溝３４を形成してある。一方、上部材３２は、自由勾配側溝部材１１の側壁部１６の下端の間に丁度納まる幅に設定された長尺な平板状の部材である。そして、この平板状の上部材３２を下部材３１の上に重ねて共同溝用貫通空部２２の上面部分とすると共に底部基礎面部２５とすると、当該上部材３２の左右側縁の外側に位置する下部材３１の上面が支持部２６として側壁部１６を支持する。また、下部材３１の側面部分に分岐穴あるいは作業用開口部としても使用できる薄肉部３７を形成してあり、実際に使用時には容易に破って開口できるように構成されている。なお、図面には示していないが、上部材３２の上面部分に作業用開口部２８を開口可能としてもよいし、あるいは上部材３２自体を装着・取り外し可能として開閉できるように構成してもよい。
【００３２】
図２（ｃ）に示す共同側溝ユニット４に用いる共同溝用埋設部材１２は、ベースとなる下部材３１とその上に重ね合わせる上部材３２とから構成されている。下部材３１は、自由勾配側溝部材１１と左右幅及び長さが同様の法に設定された平板状の部材の上面に、共同溝用貫通空部２２の内側に係合して位置決めとして機能する凸条３９を２本平行に突設し、両凸条３９の間を下溝３４としてある。一方、上部材３２は、自由勾配側溝部材１１と左右幅及び長さが同様の寸法に設定されており、下面に共同溝用貫通空部２２となる断面矩形で下面開放の上溝３５を形成してあり、上面部分は、自由勾配側溝部材１１の側壁部１６の下端の間に丁度納まる幅に設定された長尺な部材である。そして、上部材３２の左右肩部分に、上面部分の外側を一段階段状に落として支持部２６を形成し、自由勾配側溝部材１１を上から被せて両支持部２６上に自由勾配側溝部材１１の側壁部１６を載せると、凸形の部分が両側壁部１６内に入り込んで位置決めとなり、この凸形の上面が上面部分となって共同溝用貫通空部２２を区画すると共に底部基礎面部２５として機能する。なお、本実施形態においては、下部材３１の側面部分に分岐穴あるいは作用用開口部としても使用できる薄肉部３７を形成してあり、実際に使用時には容易に破って開口できるように構成されている。なお、図面には示していないが、上部材３２の上面部分に作業用開口部２８を開口可能としてもよい。
【００３３】
上記のようにして側溝１内の下段には、共同溝用貫通空部２２が形成された共同溝用埋設部材１２を一連に敷設するとともに、その上段に自由勾配側溝部材１１を一連に敷設するので、景観の向上を図ることができることは勿論のこと、電線等を埋設するスペースの節約に寄与することができる。しかも、排水路の傾斜を現場に応じた傾斜に容易に設定することができる。また、作業用開口部２８を開くことによりケーブルや配線のメンテナンス、新たなケーブルの敷設などの作業を容易に行うことができる。
【００３４】
前記した実施形態は、共同溝用貫通空部２２よりも高い位置に排水空間１８が位置するように構成したが、本発明はこれに限定されるものではなく、排水空間１８の横に共同溝貫通空部２２が位置するように構成してもよい。
【００３５】
図３および図４にに示す実施形態は、いずれも排水空間１８の横に共同溝用貫通空部２２を平行に配置し、該共同溝用貫通空部２２の上面部分に作業用開口部２８を開口可能にしたもので、自由勾配側溝部材１１は前記した実施形態と同様の構成あり、共同溝用埋設部材１２の構成が異なる。まず、図３に示す共同溝用埋設部材１２は、断面が略Ｌ字形であって、自由勾配側溝部材１１の幅よりも広い底面部分の一側縁から側壁４０を自由勾配側溝部材１１の高さとほぼ同じ高さに立設し、該側壁４０よりも遠い位置の底面部分に自由勾配側溝部材１１の排水空間１８の底を下から閉塞可能な底部基礎面部２５を他の底面部分よりも少し厚く形成して該底部基礎面部２５の左右側縁の外側を支持部２６としている。したがって、この底面部分の上に自由勾配側溝部材１１を載せて支持部２６上に側壁部１６の下端を載せると、底部基礎面部２５が排水空間１８の底を下から閉塞し、共同溝用埋設部材１２の前記側壁４０と自由勾配側溝部材１１の側壁部１６との間の空間が共同溝用貫通空部２２として形成され、該共同溝用貫通空部２２の上面が作業用開口部２８として開口する。
【００３６】
そして、第３図と第４図に示す実施形態においては、共同溝用埋設部材１２の前記作業用開口部２８を開閉可能に塞ぐ蓋材２９の構成のみが異なるので、この点について説明する。
まず、図３に示す蓋材２９は、縁石４２と一体化したものであり、平板状の蓋本体の自由勾配側溝部材１１側の縁にブロック状の縁石４２を設け、反対側の縁の下側に厚みの上半部分が突出して下半が凹んだ係合部４３を形成し、共同溝用埋設部材１２の側壁４０の上端に形成されている階段状の受け部４４に前記係合部４３が上から係合する。一方、縁石４２側の縁の下側に縁石４２の下端が突出してその下が凹んだ縁石側係合部４５を形成し、該縁石側係合部４５が自由勾配側溝部材１１の側壁部１６の上端縁に上から係合して支えられるように構成されている。
したがって、前記した縁石４２付きの蓋材２９により作業用開口部２８を塞いだ共同側溝ユニット４においては、常態においては作業用開口部２８が閉塞される。この状態では縁石４２が、例えば、歩道と車道との境を明確に区画するので、歩道から車道にかけての領域に設置するのに好適である。そして、設置した後にケーブルのメンテナンス等の作業を行う場合には蓋材２９を取り除くと大きな作業用開口部２８が開口するので、メンテナンス等の作業を効率良く行うことができる。また、共同溝用貫通空部２２の幅を比較的自由に設定することができるので、大きな容積であっても容易に作製でき、大量のケーブル、配線等の埋設に対処することができる。
【００３７】
次に、図４に示す蓋材２９は、上面に金属板製のフランジ４７を有し、作業用開口部２８に被せると、共同溝用埋設部材１２の側壁４０の上端と自由勾配側溝部材１１の側壁部１６の上端に載って支持される。したがって、この蓋材２９により作業用開口部２８を塞ぐと、路上に突出する部分が少なく、歩行者の歩行や車の走行に支障を生じない。また、景観も良好である。このため、歩道に埋設する共同側溝ユニット４として好適である。
【００３８】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００３９】
１  側溝
３  基礎
３ａ  基礎砕石
３ｂ  基礎コンクリート
４  共同側溝ユニット
１１  自由勾配側溝部材
１２  共同溝用埋設部材
１３  インバートコンクリート
１６  側壁部１６
１７  梁部
１８  排水空間
１９  パッキン溝
２０  パッキン
２２  共同溝用貫通空部
２５  底部基礎面部
２６  支持部
２７  貫通空部
２８  作業用開口部
２９  蓋材
３１  下部材
３２  上部材
３４  下溝
３５  上溝
３７  薄肉部
３９  凸条
４０  側壁
４２  縁石
４５  縁石側係合部
【図１】
2019203261.tif 000003
【図２】
2019203261.tif 000004
【図３】
2019203261.tif 000005
【図４】
2019203261.tif 000006